(57)【要約】      （修正有）【課題】ユーザーにとって不要な印刷を抑制する画像形成装置を提供する。【解決手段】画像形成装置は、文字認識処理部５０３、比較部５０４、第１決定部５０５、及び形成部５１０を備える。外部から受信した第１画像の解像度を印刷解像度に変換した第２画像と、第１画像に対して「画像処理」を施した第３画像とに対して、文字認識処理を実行する。比較部５０４は、第２画像の文字認識結果と、第３画像の文字認識結果とを比較する。第１決定部５０５は、比較部５０４の比較結果に応じて、第２画像を用紙に形成するか否かを決定する。形成部５１０は、第１決定部５０５による決定の結果に応じて、第２画像を用紙に形成する。「画像処理」は、第３画像の文字認識結果が向上するような処理を示す。【選択図】図３
2018186446.tif 000002
【特許請求の範囲】
【請求項１】
外部から受信した第１画像の解像度を印刷解像度に変換した第２画像と、前記第１画像に対して画像処理を施した第３画像とに対して、文字認識処理を実行する文字認識処理部と、
前記第２画像の文字認識結果と、前記第３画像の文字認識結果とを比較する比較部と、
前記比較部の比較結果に応じて、前記第２画像を記録媒体に形成するか否かを決定する第１決定部と、
前記第１決定部の決定結果に応じて、前記第２画像を前記記録媒体に形成する形成部と
を備え、
前記画像処理は、前記第３画像の前記文字認識結果が向上するような処理を示す、画像形成装置。
【請求項２】
前記比較結果は、前記第２画像の文字認識率が、前記第３画像の文字認識率と比較して、第１所定値以上低いか否かを示す、請求項１に記載の画像形成装置。
【請求項３】
前記比較結果は、前記第２画像の認識確信度の平均値が、前記第３画像の認識確信度の平均値と比較して、第２所定値以上低いか否かを示す、請求項１に記載の画像形成装置。
【請求項４】
記憶部と、
前記比較結果に応じて、前記第１画像を前記記憶部に記憶するか否かを決定する第２決定部と
を更に備える、請求項１から請求項３のいずれか１項に記載の画像形成装置。
【請求項５】
表示部と
前記比較結果に応じて、前記第２画像のプレビュー画像を前記表示部に表示する表示制御部と
を更に備える、請求項１から請求項４のいずれか１項に記載の画像形成装置。
【請求項６】
ファクシミリ通信を行うファクシミリ通信部と、
前記ファクシミリ通信部を介して前記第１画像を受信した場合に、前記比較結果に応じて、前記第１画像の宛先のユーザーが使用する端末装置に前記第１画像を送信する送信部と
を更に備える、請求項１から請求項５のいずれか１項に記載の画像形成装置。
【請求項７】
前記送信部は、前記第３画像を前記端末装置に送信する、請求項６に記載の画像形成装置。
【請求項８】
ユーザーからの操作に基づいて、前記第１決定部による処理のオン又はオフを選択する選択部を更に備え、
前記選択部が前記オフを選択した場合には、前記第１画像を受信する度に、前記形成部は、前記第２画像を前記記録媒体に形成する、請求項１から請求項７のいずれか１項に記載の画像形成装置。
【請求項９】
前記比較結果に応じて、ユーザーが読み難い可能性があるため前記第２画像を前記記録媒体に形成しない旨報知する報知部を更に備える、請求項１から請求項８のいずれか１項に記載の画像形成装置。
【請求項１０】
第１画像の解像度を印刷解像度に変換した第２画像に対して文字認識処理を実行する文字認識処理部と、
前記第２画像の文字認識結果に応じて、前記第２画像を記録媒体に形成するか否かを決定する第１決定部と、
前記第１決定部による決定の結果に応じて、前記第２画像を前記記録媒体に形成する形成部と
を備え、
前記第１画像は、外部からファクシミリ通信によって受信する、画像形成装置。
【発明の詳細な説明】
【技術分野】
【０００１】
本発明は、画像形成装置に関する。
【背景技術】
【０００２】
特許文献１に記載のファクシミリ通信装置は、文字認識率が高いと判断される画像に対しては、低解像度で送信を行い、文字認識率が低いと判断される画像に対しては、高解像度でファクシミリ送信を行う。
【先行技術文献】
【特許文献】
【０００３】
【特許文献１】特開平１１−３４１１９８号公報
【発明の概要】
【発明が解決しようとする課題】
【０００４】
しかしながら、特許文献１に記載のファクシミリ通信装置では、文字認識率が低い画像も印刷するため、ユーザーにとって不要な印刷を行う可能性がある。
【０００５】
本発明は、上記課題に鑑みてなされたものであり、ユーザーにとって不要な印刷を抑制可能な画像形成装置を提供することを目的としている。
【課題を解決するための手段】
【０００６】
本発明の第１局面に係る画像形成装置は、文字認識処理部、比較部、第１決定部、及び形成部を備える。外部から受信した第１画像の解像度を印刷解像度に変換した第２画像と、前記第１画像に対して画像処理を施した第３画像とに対して、文字認識処理を実行する。前記比較部は、前記第２画像の前記文字認識結果と、前記第３画像の前記文字認識結果とを比較する。前記第１決定部は、前記比較部の比較結果に応じて、前記第２画像を記録媒体に形成するか否かを決定する。前記形成部は、前記第１決定部による決定の結果に応じて、前記第２画像を前記記録媒体に形成する。前記画像処理は、前記第３画像の前記文字認識結果が向上するような処理を示す。
【０００７】
本発明の第２局面に係る画像形成装置は、文字認識処理部、第１決定部、及び形成部を備える。第１画像の解像度を印刷解像度に変換した第２画像に対して文字認識処理を実行する。前記第１決定部は、前記第２画像の文字認識結果に応じて、前記第２画像を記録媒体に形成するか否かを決定する。前記形成部は、前記第１決定部による決定の結果に応じて、前記第２画像を前記記録媒体に形成する。前記第１画像は、外部からファクシミリ通信によって受信する。
【発明の効果】
【０００８】
本発明の画像形成装置によれば、ユーザーにとって不要な印刷を抑制できる。
【図面の簡単な説明】
【０００９】
【図１】本発明の実施形態に係る画像形成装置の接続状態を示す図である。
【図２】本発明の実施形態に係る画像形成装置の構成を示す図である。
【図３】本発明の実施形態に係る制御部の構成を示す図である。
【図４】制御部の処理を示すフローチャートである。
【図５】本発明の実施形態に係る制御部の構成を示す図である。
【図６】制御部の「異常処理」を示すフローチャートである。
【発明を実施するための形態】
【００１０】
以下、本発明の実施形態について、図面（図１〜図６）を参照しながら説明する。なお、図中、同一又は相当部分については同一の参照符号を付して説明を繰り返さない。
【００１１】
まず、図１を参照して、本発明の実施形態に係る画像形成装置１００の接続状態について説明する。図１は、本発明の実施形態に係る画像形成装置１００の接続状態を示す図である。図１に示すように、画像形成装置１００は、ネットワーク４００を介して、複数のパーソナルコンピューター３００と通信可能に接続されている。ネットワーク４００は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、又は、インターネットである。画像形成装置１００は、ネットワーク４００を介して、複数のパーソナルコンピューター３００との間で種々の情報を送受信する。
【００１２】
画像形成装置１００は、公衆電話回線を介して、複数の画像形成装置２００と通信可能に接続される。画像形成装置１００は、複数の画像形成装置２００との間でファクシミリの送受信を行う。
【００１３】
次に、図２を参照して本発明の実施形態に係る画像形成装置１００の構成について説明する。図２は、画像形成装置１００の構成を示す図である。図２に示すように、画像形成装置１００は複合機である。画像形成装置１００は、画像形成ユニット１、画像読取ユニット２、原稿搬送ユニット３、操作表示部４、及び制御部５を備える。
【００１４】
画像形成ユニット１は、記録媒体の一例である用紙Ｐに画像を形成する。画像読取ユニット２は、原稿Ｒの表面に形成された画像を読み取る。原稿搬送ユニット３は、原稿Ｒを画像読取ユニット２に供給する。操作表示部４は、ユーザーの操作を受け付ける。制御部５は、画像形成装置１００の動作を制御する。
【００１５】
また、画像形成ユニット１は、給送カセット１１及び画像形成部１３を備える。給送カセット１１から繰り出された用紙Ｐは、画像形成部１３まで搬送される。画像形成部１３は、用紙Ｐに画像を形成する。画像が形成された用紙Ｐは、用紙Ｐに形成された画像が用紙Ｐに定着された後、排出される。
【００１６】
操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。タッチパネル４１は、タッチセンサーを更に備え、ユーザーの操作を受け付ける。タッチパネル４１は、「表示部」の一例に相当する。
【００１７】
制御部５は、プロセッサー５Ａ、及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。
【００１８】
次に、図１〜図３を参照して、制御部５の構成について説明する。図３は、本発明の実施形態に係る制御部５の構成を示す図である。図３に示すように、制御部５は、受信部５０１、生成部５０２、文字認識処理部５０３、比較部５０４、第１決定部５０５、及び形成部５１０を備える。具体的には、プロセッサー５Ａが、記憶部５Ｂから制御プログラムを読み出して実行することにより、受信部５０１、生成部５０２、文字認識処理部５０３、比較部５０４、第１決定部５０５、及び形成部５１０として機能する。また、画像形成装置１００は、ファクシミリ通信部６を更に備える。
【００１９】
ファクシミリ通信部６は、複数の画像形成装置２００と通信可能に接続され、複数の画像形成装置２００との間でファクシミリの送受信を行う。
【００２０】
受信部５０１は、外部から第１画像Ｐ１を受信する。具体的には、受信部５０１は、ファクシミリ通信部６を介して、複数の画像形成装置２００から第１画像Ｐ１を受信する。すなわち、「第１画像Ｐ１」は、画像形成装置１００が、複数の画像形成装置２００から受信するファクシミリの画像を示す。
【００２１】
生成部５０２は、第１画像Ｐ１を受信部５０１が受信した場合に、第２画像Ｐ２と第３画像Ｐ３とを生成する。第２画像Ｐ２は、第１画像Ｐ１の解像度を印刷解像度に変換した画像を示す。第３画像Ｐ３は、文字認識処理による文字認識結果が向上するように第１画像Ｐ１に対して画像処理を施した画像を示す。
【００２２】
第１画像Ｐ１の解像度は、画像形成装置２００が第１画像Ｐ１を送信した解像度を示す。第１画像Ｐ１の解像度は、例えば、２００ｄｐｉ（Ｄｏｔｓ  Ｐｅｒ  Ｉｎｃｈ）である。印刷解像度は、第１画像Ｐ１を画像に形成する時の解像度を示す。印刷解像度は、例えば、３００ｄｐｉである。
【００２３】
「画像処理」は、第３画像Ｐ３の文字認識結果が向上するような処理を示す。具体的には、「画像処理」は、第３画像Ｐ３の文字認識処理の文字認識率又は認識確信度の平均値を向上するような処理を示す。「画像処理」は、例えば、ノイズ除去処理、裏面映り除去処理、及び文字強調処理を含む。
【００２４】
文字認識処理部５０３は、第２画像Ｐ２及び第３画像Ｐ３に対して文字認識処理を実行する。文字認識処理は、いわゆる、ＯＣＲ（Ｏｐｔｉｃａｌ  Ｃｈａｒａｃｔｅｒ  Ｒｅｃｏｇｎｉｔｉｏｎ）処理を示す。
【００２５】
比較部５０４は、第２画像Ｐ２の文字認識結果と、第３画像Ｐ３の文字認識結果とを比較する。
【００２６】
第１決定部５０５は、比較部５０４の比較結果に応じて、第２画像Ｐ２を用紙Ｐに形成するか否かを決定する。本実施形態では、比較部５０４の比較結果は、第２画像Ｐ２の文字認識率Ｒ２が、第３画像Ｐ３の文字認識率Ｒ３と比較して、第１所定値ＳＨ１以上低いか否かを示す。具体的には、第２画像Ｐ２の文字認識率Ｒ２が第３画像Ｐ３の文字認識率Ｒ３と比較して第１所定値ＳＨ１以上低い場合には、第１決定部５０５は、第２画像Ｐ２を用紙Ｐに形成しないと決定する。第２画像Ｐ２の文字認識率Ｒ２が第３画像Ｐ３の文字認識率Ｒ３と比較して第１所定値ＳＨ１以上低くはない場合には、第１決定部５０５は、第２画像Ｐ２を用紙Ｐに形成すると決定する。
【００２７】
形成部５１０は、第１決定部５０５の決定結果に応じて、第２画像Ｐ２を用紙Ｐに形成する。
【００２８】
以上、図１〜図３を参照して説明したように、本実施形態では、第２画像Ｐ２の文字認識結果と第３画像Ｐ３の文字認識結果との比較結果に応じて、第２画像Ｐ２を用紙Ｐに形成しない。例えば、第２画像Ｐ２の文字認識結果が第３画像Ｐ３の文字認識結果と比較して著しく劣る場合には、第２画像Ｐ２を用紙Ｐに形成しない。第１画像Ｐ１は受信した画像を示す。第２画像Ｐ２は、第１画像Ｐ１の解像度を印刷解像度に変換した画像を示す。第３画像Ｐ３は、第１画像Ｐ１に対して「画像処理」を施した画像を示す。「画像処理」は、文字認識処理による文字認識結果を向上するような処理を示す。よって、ユーザーが読めない可能性がある場合には、第２画像Ｐ２を印刷しない。したがって、ユーザーにとって不要な印刷を抑制できる。
【００２９】
図１〜図３を参照して説明したように、本実施形態では、第２画像Ｐ２の文字認識結果と第３画像Ｐ３の文字認識結果との比較結果に応じて、第１決定部５０５は、第２画像Ｐ２を用紙Ｐに形成するか否かを決定するが、本発明はこれに限定されない。第１決定部５０５が、第２画像Ｐ２の文字認識結果に基づいて、第２画像Ｐ２を用紙Ｐに形成するか否かを決定する形態でもよい。例えば、第１決定部５０５が、第２画像Ｐ２の文字認識率Ｒ２が所定値以下である場合に、第２画像Ｐ２を用紙Ｐに形成しないと決定する形態でもよい。この形態では、処理を簡略化できる。
【００３０】
次に、図１〜図４を参照して、制御部５の処理について説明する。図４は、制御部５の処理を示すフローチャートである。
図４に示すように、ステップＳ１０１において、受信部５０１は、画像形成装置２００からファクシミリの第１画像Ｐ１を受信したか否かを判定する。
第１画像Ｐ１を受信していないと受信部５０１が判定した場合（ステップＳ１０１でＮＯ）には、処理が待機状態になる。第１画像Ｐ１を受信したと受信部５０１が判定した場合（ステップＳ１０１でＹＥＳ）には、処理がステップＳ１０３に進む。
そして、ステップＳ１０３において、生成部５０２は、第１画像Ｐ１の解像度を印刷解像度に変換した第２画像Ｐ２を生成する。
次に、ステップＳ１０５において、文字認識処理部５０３は、第２画像Ｐ２に文字認識処理を施し、文字認識率Ｒ２を算出する。
【００３１】
次に、ステップＳ１０７において、文字認識処理による文字認識結果を向上するように第１画像Ｐ１に対して画像処理を施した第３画像Ｐ３を生成する。
そして、ステップＳ１０９において、文字認識処理部５０３は、第３画像Ｐ３に文字認識処理を施し、文字認識率Ｒ３を算出する。
次に、ステップＳ１１１において、比較部５０４は、第２画像Ｐ２の文字認識結果と、第３画像Ｐ３の文字認識結果とを比較する。具体的には、比較部５０４は、第２画像Ｐ２の文字認識率Ｒ２が、第３画像Ｐ３の文字認識率Ｒ３と比較して、第１所定値ＳＨ１以上低いか否かを判定する。
第２画像Ｐ２の文字認識率Ｒ２が第３画像Ｐ３の文字認識率Ｒ３と比較して、第１所定値ＳＨ１以上低くはないと比較部５０４が判定した場合（ステップＳ１１１でＮＯ）には、処理がステップＳ１１３に進む。そして、ステップＳ１１３において、第１決定部５０５が、第２画像Ｐ２を用紙Ｐに形成すると決定し、形成部５１０が第２画像Ｐ２を用紙Ｐに形成して、処理が終了する。
第２画像Ｐ２の文字認識率Ｒ２が第３画像Ｐ３の文字認識率Ｒ３と比較して、第１所定値ＳＨ１以上低いと比較部５０４が判定した場合（ステップＳ１１１でＹＥＳ）には、処理がステップＳ１１５に進む。そして、制御部５が、「異常処理」を実行して、処理が終了する。
「異常処理」とは、第２画像Ｐ２の文字認識率Ｒ２が第３画像Ｐ３の文字認識率Ｒ３と比較して、第１所定値ＳＨ１以上低い場合に行う処理である。「異常処理」については、図５及び図６を参照して詳細に説明する。
【００３２】
以上、図１〜図４を参照して説明したように、本実施形態では、比較結果は、第２画像Ｐ２の文字認識率Ｒ２が、第３画像Ｐ３の文字認識率Ｒ３と比較して、第１所定値ＳＨ１以上低いか否かを示す。第２画像Ｐ２の文字認識率Ｒ２が、第３画像Ｐ３の文字認識率Ｒ３と比較して、第１所定値ＳＨ１以上低い場合には、第２画像Ｐ２を用紙Ｐに形成してもユーザーが読めない可能性がある。したがって、ユーザーが読めない可能性があるか否かを適正に判定できる。
【００３３】
本実施形態では、比較結果は、第２画像Ｐ２の文字認識率Ｒ２が、第３画像Ｐ３の文字認識率Ｒ３と比較して、第１所定値ＳＨ１以上低いか否かを示すが、本発明はこれに限定されない。比較結果が、第２画像Ｐ２を用紙Ｐに形成するか否かを決定する根拠になればよい。例えば、比較結果が、第２画像Ｐ２の認識確信度の平均値が、第３画像Ｐ３の認識確信度の平均値と比較して、第２所定値以上低いか否かを示す形態でもよい。
【００３４】
次に、図１〜図５を参照して、制御部５の構成について更に説明する。図５は、本発明の実施形態に係る制御部５の構成を示す図である。図５の制御部５は、「異常処理」を更に実行する点で、図３の制御部５と相違する。具体的には、図５に示すように、制御部５は、第２決定部５０６、報知部５０７、表示制御部５０８、送信部５０９、及び選択部５１１を更に備える。具体的には、プロセッサー５Ａが、記憶部５Ｂから制御プログラムを読み出して実行することにより、第２決定部５０６、報知部５０７、表示制御部５０８、送信部５０９、及び選択部５１１として更に機能する。
【００３５】
第２決定部５０６は、比較部５０４の比較結果に応じて、第１画像Ｐ１を記憶部５Ｂに記憶するか否かを決定する。具体的には、第２画像Ｐ２の文字認識率Ｒ２が第３画像Ｐ３の文字認識率Ｒ３と比較して第１所定値ＳＨ１以上低い場合には、第２決定部５０６は、第１画像Ｐ１を記憶部５Ｂに記憶すると決定する。第２画像Ｐ２の文字認識率Ｒ２が第３画像Ｐ３の文字認識率Ｒ３と比較して第１所定値ＳＨ１以上低くはない場合には、第２決定部５０６は、第１画像Ｐ１を記憶部５Ｂに記憶しないと決定する。
【００３６】
報知部５０７は、比較部５０４の比較結果に応じて、ユーザーが読み難い可能性があるため第２画像Ｐ２を用紙Ｐに形成しない旨報知する。具体的には、第２画像Ｐ２の文字認識率Ｒ２が第３画像Ｐ３の文字認識率Ｒ３と比較して第１所定値ＳＨ１以上低い場合には、報知部５０７は、ユーザーが読み難い可能性があるため第２画像Ｐ２を用紙Ｐに形成しない旨をタッチパネル４１に表示する。
【００３７】
表示制御部５０８は、比較部５０４の比較結果に応じて、第２画像Ｐ２のプレビュー画像をタッチパネル４１に表示する。具体的には、第２画像Ｐ２の文字認識率Ｒ２が第３画像Ｐ３の文字認識率Ｒ３と比較して第１所定値ＳＨ１以上低い場合には、表示制御部５０８は、第２画像Ｐ２のプレビュー画像をタッチパネル４１に表示する。
【００３８】
送信部５０９は、比較部５０４の比較結果に応じて、第１画像Ｐ１の宛先のユーザーが使用するパーソナルコンピューター３００に第１画像Ｐ１及び第３画像Ｐ３を送信する。具体的には、第２画像Ｐ２の文字認識率Ｒ２が第３画像Ｐ３の文字認識率Ｒ３と比較して第１所定値ＳＨ１以上低い場合には、送信部５０９は、第１画像Ｐ１の宛先のユーザーが使用するパーソナルコンピューター３００に第１画像Ｐ１及び第３画像Ｐ３を送信する。
【００３９】
選択部５１１は、ユーザーからのタッチパネル４１の操作に基づいて、第１決定部５０５による処理のオン又はオフを選択する。
【００４０】
選択部５１１がオフを選択した場合には、受信部５０１が第１画像Ｐ１を受信する度に、形成部５１０は、第２画像Ｐ２を用紙Ｐに形成する。
【００４１】
以上、図１〜図５を参照して説明したように、本実施形態では、第２画像Ｐ２の文字認識率Ｒ２が第３画像Ｐ３の文字認識率Ｒ３と比較して第１所定値ＳＨ１以上低い場合には、第１画像Ｐ１を記憶部５Ｂに記憶する。したがって、ユーザーが第２画像Ｐ２のプレビュー画像を表示して、第２画像Ｐ２を用紙Ｐに形成するか否かの判断を行うことができる。
【００４２】
また、第２画像Ｐ２の文字認識率Ｒ２が第３画像Ｐ３の文字認識率Ｒ３と比較して第１所定値ＳＨ１以上低い場合には、第２画像Ｐ２のプレビュー画像をタッチパネル４１に表示する。したがって、第２画像Ｐ２が用紙Ｐに形成されない場合に、第２画像Ｐ２をユーザーが確認できる。
【００４３】
更に、第２画像Ｐ２の文字認識率Ｒ２が第３画像Ｐ３の文字認識率Ｒ３と比較して第１所定値ＳＨ１以上低い場合には、第１画像の宛先のユーザーが使用するパーソナルコンピューター３００に第１画像を送信する。よって、ユーザーは、自分宛てのファクシミリが用紙Ｐに形成されなかった場合に、自分が使用するパーソナルコンピューター３００で、用紙Ｐに形成されなかった第１画像Ｐ１を確認できる。したがって、ユーザーは送信元に対して、第１画像Ｐ１に対応する鮮明な画像を送付するように要求することができる。
【００４４】
加えて、第２画像Ｐ２の文字認識率Ｒ２が第３画像Ｐ３の文字認識率Ｒ３と比較して第１所定値ＳＨ１以上低い場合には、第１画像Ｐ１の宛先のユーザーが使用するパーソナルコンピューター３００に第３画像Ｐ３を送信する。したがって、ユーザーが第３画像Ｐ３を確認して、第３画像Ｐ３を用紙Ｐに形成するか、又は第１画像Ｐ１に対応する鮮明な画像を送付するように送信元に対して要求するかを選択できる。
【００４５】
次に、図１〜図６を参照して、制御部５の処理について更に説明する。図６は、制御部５の「異常処理」を示すフローチャートである。
図６に示すように、ステップＳ２０１において、選択部５１１が第１決定部５０５による処理のオフを選択しているか否かを判定する。
第１決定部５０５による処理のオフを選択していると選択部５１１が判定した場合（ステップＳ２０１でＹＥＳ）には、処理がステップＳ２０３へ進む。そして、ステップＳ２０３において、形成部５１０が、第２画像Ｐ２を用紙Ｐに形成して、処理が終了する。
第１決定部５０５による処理のオフを選択していないと選択部５１１が判定した場合（ステップＳ２０１でＮＯ）には、処理がステップＳ２０５へ進む。そして、ステップＳ２０５において、第２決定部５０６は、第１画像Ｐ１を記憶部５Ｂに記憶すると決定し、制御部５は、第１画像Ｐ１を記憶部５Ｂに記憶する。
【００４６】
次に、ステップＳ２０７において、報知部５０７は、第２画像Ｐ２の文字認識率Ｒ２が低いため、第２画像Ｐ２を用紙Ｐに形成した場合にユーザーが読み難い可能性がある旨をタッチパネル４１に表示する。
そして、ステップＳ２０９において、表示制御部５０８は、第２画像Ｐ２のプレビュー画像をタッチパネル４１に表示する。
次に、ステップＳ２１１において、送信部５０９は、第１画像Ｐ１の宛先のユーザーを特定する。具体的には、送信部５０９は、第１画像Ｐ１に記載された宛先の氏名に基づき、第１画像Ｐ１の宛先のユーザーを特定する。
そして、ステップＳ２１３において、送信部５０９は、第１画像Ｐ１の宛先のユーザーが使用するパーソナルコンピューター３００に第１画像Ｐ１及び第３画像Ｐ３を送信し、処理が終了する。
【００４７】
以上、図１〜図６を参照して説明したように、本実施形態では、第１決定部５０５による処理のオフを選択した場合には、受信部５０１が第１画像Ｐ１を受信する度に、形成部５１０は、第２画像Ｐ２を用紙Ｐに形成する。したがって、受信する度に第２画像Ｐ２を用紙Ｐに形成するか、ユーザーが読めない可能性がある場合に第２画像Ｐ２を用紙Ｐに形成しないかをユーザーが切り換えることができる。
【００４８】
また、第２画像Ｐ２の文字認識率Ｒ２が第３画像Ｐ３の文字認識率Ｒ３と比較して第１所定値ＳＨ１以上低い場合には、第２画像Ｐ２の文字認識率Ｒ２が低く、ユーザーが読み難い可能性があるため第２画像Ｐ２を用紙Ｐに形成しない旨を報知する。したがって、ユーザーは、用紙Ｐに形成されない第１画像Ｐ１が受信されたことを認識できる。
【００４９】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００５０】
（１）図１を参照して説明したように、画像形成装置１００が公衆電話回線を介して、複数の画像形成装置２００と通信可能に接続されるが、本発明はこれに限定されない。画像形成装置１００が複数の画像形成装置２００と通信可能に接続されていればよい。例えば、画像形成装置１００がネットワークを介して複数の画像形成装置２００と通信可能に接続される形態でもよい。
【００５１】
（２）図１及び図２を参照して説明したように、画像形成装置１００が複合機であるが、本発明はこれに限定されない。画像形成装置１００がファクシミリ通信部６と画像形成部１３とを備えればよい。例えば、画像形成装置１００がファクシミリ装置である形態でもよい。
【００５２】
（３）図１〜図３を参照して説明したように、受信部５０１が、ファクシミリ通信部６を介して、複数の画像形成装置２００から第１画像Ｐ１を受信するが、本発明はこれに限定されない。受信部５０１が、複数の画像形成装置２００又はパーソナルコンピューター３００から第１画像Ｐ１を受信すればよい。例えば、受信部５０１が、ネットワーク４００を介して、パーソナルコンピューター３００から第１画像Ｐ１を受信してもよい。
【産業上の利用可能性】
【００５３】
本発明は、画像形成装置に関するものであり、産業上の利用可能性を有する。
【符号の説明】
【００５４】
１００    画像形成装置
１    画像形成ユニット
１３    画像形成部
２    画像読取ユニット
３    原稿搬送ユニット
３１    原稿トレイ
４    操作表示部
４１    タッチパネル（表示部）
５    制御部
５０１    受信部
５０２    生成部
５０３    文字認識処理部
５０４    比較部
５０５    第１決定部
５０６    第２決定部
５０７    報知部
５０８    表示制御部
５０９    送信部
５１０    形成部
５１１    選択部
【図１】
2018186446.tif 000003
【図２】
2018186446.tif 000004
【図３】
2018186446.tif 000005
【図４】
2018186446.tif 000006
【図５】
2018186446.tif 000007
【図６】
2018186446.tif 000008